(57)【要約】      （修正有）【課題】使い捨て履物と同様に清潔であり、使用感が良く高級感を有する履物を提供する。【解決手段】底部１２と甲被部１１を備える本体１０と、本体１０の底部１２の上面に着脱自在に嵌め入れられる中敷きと、を有する履物であって、本体１０は、底部１２の上面の周縁の全部または一部に上方に立設する周壁１３を有し、中敷きは、周壁１３によって係止される。【選択図】図２
0003217845.tif 000002
【実用新案登録請求の範囲】
【請求項１】
底部と甲被部を備える本体と、本体の前記底部の上面に着脱自在に嵌め入れられる中敷きと、を有する履物であって、
前記本体は、前記底部の上面の周縁の全部または一部に上方に立設する周壁を有し、
前記中敷きは、前記周壁によって係止されることを特徴とする履物。
【請求項２】
底部と甲被部を備える本体と、本体の前記底部の上面に着脱自在に嵌め入れられる中敷きと、を有する履物であって、
前記本体の底部の上面と前記中敷きの下面には互いに係合する面ファスナーが備えられていることを特徴とする履物。
【請求項３】
前記本体の底部の上面と前記中敷きの下面には互いに係り合う面ファスナーが備えられている請求項１に記載の履物。
【請求項４】
前記本体の底部の周壁および中敷きの周縁部に、互いに係り合わせられて中敷きの本体に対するずれを防止する係合部が設けられている請求項１〜３のいずれかに記載の履物。
【請求項５】
前記本体の底部の上面に表示が備えられている請求項１〜４のいずれか１項に記載の履物。
【考案の詳細な説明】
【技術分野】
【０００１】
本考案は、履物に関する。
【背景技術】
【０００２】
ホテルなどの宿泊施設の宿泊客用や病院、学校等の来訪者用として使用される履物には種々の種類の履物が用いられている。これらの履物には、一度使用されると廃棄される使い捨てタイプのものと、定期的に洗浄、滅菌等が行われて清浄化される使い捨てでないタイプのものがある。
【０００３】
宿泊施設の室内用として使用される履物は、一般に安価な使い捨てスリッパが使用されている。このような使い捨ての履物は、常に清潔な状態で使用者に提供できる代わりに、使用感が良くなく高級感もない。また、使用後に全て廃棄されるために資源の無駄となる。
【０００４】
一方、病院、学校等の来訪者用として使用される履物であるスリッパやサンダルは、比較的耐久性のある使い捨てでない履物が用いられ、それらの履物は、定期的に洗浄・滅菌等の清浄化処理が一般に行われている。しかし、その清浄化処理が不完全な場合、使用者に不潔な履物を提供することになるとともに、洗浄・滅菌に手間がかかりコストアップの原因となる。
【考案の概要】
【考案が解決しようとする課題】
【０００５】
使い捨ての履物と同様に清潔であり、使用感が良く高級感を有する履物を提供することを課題とする。
【課題を解決するための手段】
【０００６】
本考案（１）は、底部と甲被部を備える本体と、本体の前記底部の上面に着脱自在に嵌め入れられる中敷きと、を有する履物であって、前記本体は、前記底部の上面の周縁の全部または一部に上方に立設する周壁を有し、前記中敷きは、前記周壁によって係止されることを特徴とする履物である。
【０００７】
本考案（１）の特徴は、本体の底部の上面の周縁の全部または一部に上方に立設する周壁を有し、中敷きは、周壁によって係止されることにある。中敷きを使い捨てとすることで常に清潔な履物を提供でき、本体によって使用感・高級感を上げることができる。また、本体の底部と中敷きとは周壁によって係り合わせられているので、中敷きが本体に対してずれることが防止される。
【０００８】
本考案（２）は、底部と甲被部を備える本体と、本体の前記底部の上面に着脱自在に嵌め入れられる中敷きと、を有する履物であって、前記本体の底部の上面と前記中敷きの下面には互いに係り合う面ファスナーが備えられていることを特徴とする履物である。
【０００９】
本考案（２）の特徴は、底部と甲被部を備える本体と、本体の底部の上面に着脱自在に嵌め入れられる中敷きと、を有する履物であって、本体の底部の上面と中敷きの下面には互いに係合する面ファスナーが備えられていることにある。本考案（１）と同様に、中敷きを使い捨てとすることで常に清潔な履物を提供でき、本体によって使用感・高級感を上げることができる。本体の底部の上面と中敷きの下面には互いに係り合う面ファスナーが備えられているので、中敷きが本体に対してずれることが防止される。
【００１０】
本考案（３）は、本体の底部の上面と中敷きの下面には互いに係り合う面ファスナーが備えられている本考案（１）に記載の履物である。
【００１１】
本考案（３）の特徴は、本考案（１）の特徴と本考案（２）の特徴の２つの特徴を兼ね備えていることにあるので、中敷きを使い捨てとすることで常に清潔な履物を提供でき、本体によって使用感・高級感を上げることができる。さらに、面ファスナーが備えられているので、中敷きが本体に対してずれることが本考案（１）および本考案（２）の履物と比べてより防止される。
【００１２】
本考案（４）は、前記本体の底部の周壁および中敷きの周縁部に、互いに係り合わせられて中敷きの本体に対するずれを防止する係合部が設けられている本考案（１）〜（３）のいずれかに記載の履物である。
【００１３】
本考案（４）の特徴は、本考案（１）〜（３）のいずれかの履物に、さらに、本体の底部の周壁および中敷きの周縁部に、互いに係り合わせられて中敷きの本体に対するずれを防止する係合部が設けられていることにある。係合部が設けられているので、中敷きが本体に対してずれることが本考案（１）〜（３）のいずれかの履物に比べてより防止される。
【００１４】
本考案（５）は、前記本体の底部の上面に表示が備えられている本考案（１）〜（４）のいずれかの履物である。
【００１５】
本考案（５）の特徴は、本体の底部の上面に表示が備えられていることを特徴としている。この表示は、使用上の注意などに用いることができ、中敷きを本体に挿入すると中敷きによって隠れるので、見栄えを損なうこともない。
【考案の効果】
【００１６】
本考案は上述のように構成され、使い捨て履物と同様に清潔な履物であり、使用感が良く高級感を有する履物を提供することができる。
【図面の簡単な説明】
【００１７】
【図１】本考案による履物（実施例１）の左足側の本体と中敷きを組み立てた斜視図である。
【図２】本考案による履物（実施例１）の左足側の本体の上面側から見た斜視図である。
【図３】本考案による履物（実施例１）の左足側の中敷きの上面側から見た斜視図である。
【図４】本考案による履物（実施例２）の左足側の本体と中敷きを組み立てた斜視図である。
【図５】本考案による履物（実施例２）の左足側の本体の上面側から見た斜視図である。
【図６】本考案による履物（実施例２）の左足側の中敷きの下面側から見た斜視図である。
【図７】本考案による履物（実施例３）の左足側の本体と中敷きを組み立てた斜視図である。
【図８】本考案による履物（実施例３）の左足側の本体の上面側から見た斜視図である。
【図９】本考案による履物（実施例３）の左足側の中敷きの上面側から見た斜視図である。
【図１０】本考案による履物（実施例３）のＡ−Ａ横断面図である。
【図１１】本考案による履物（実施例３）のＢ−Ｂ横断面図である。
【考案を実施するための形態】
【００１８】
以下、図面を参照して、本考案の好適な実施例を例示的に詳しく説明する。但し、この実施例に記載されている構成部品の材質、形状、その相対的配置等は特に特定的な記載がない限りは、この考案の範囲をそれに限定する趣旨ではなく、単なる説明例に過ぎない。また、便宜的に図面上での方向によって部材等の方向を上下左右と指称することがあるが、これらは本考案の範囲を限定するものではない。
【００１９】
図１は、本願考案の実施例１（左足用の履物）を内側上面後方から見たときの斜視図である。本履物1は、本体10と中敷き20から構成され、本体10は、甲被部11と底部12から構成されている。
【００２０】
本体10の底部12は、エチレン酢酸ビニル共重合体(EVA、Ethylene vinyl acetate)材料（以下、「ＥＶＡ材」ともよぶ）を用いて製作してもよい。
【００２１】
本体10の甲被部11は、例えば、合成皮革、天然皮革、布等を用いて形成されてもよい。甲被部11は、ミシン等で底部12に縫い合わせてもよく、底部12と同材料として一体成形することや、甲被部11を底部12に接着剤を用いて接着しても良い。
【００２２】
図３に示す中敷き20は、熱可塑性エラストマにより一体成型するものとした。この点、中敷き20の材料は熱可塑性エラストマに限られず、その他の種々の樹脂で形成してもよいし、ウールなどの繊維や合成皮革・天然皮革等で形成してもよい。また、中敷き20を一体成型せず、複数の部材を成型したうえでそれらを一体に組み合わせるものとしてもよい。この場合には、各部材を同じ材料としてもよいし、異なる材料としてもよい。
【００２３】
図２に示すように、底部12の周縁には、周壁13が形成されている。底部12の上面からの周壁13の高さは、中敷き20の厚み程度になされており、中敷き20を本体20に挿入して組み合わせると、周壁13の上面と中敷き20の上面とがほぼ面一になるようにされている。これによって、使用感が上がる。また、本体の底部12と中敷き20とは周壁13によって係り合わせられているので、中敷き20が本体10に対してずれることが防止される。
【００２４】
図４〜図６は、実施例２の履物1である。以下、実施例１（図１〜図３）と同じ個所は説明を一部省略する。
【００２５】
中敷き20は、本体10に挿入されて組み立てられているが、図５に示すように、底部12の上面には、本体側の面ファスナー16が踵部とつま先部に取り付けられており、中敷き20には、図６に示すように、中敷き20の裏面の踵部とつま先部にも本体側の面ファスナー16と係り合わされる中敷き側の面ファスナー材が取り付けられている。これらの面ファスナー材16による係合によって、本体10と中敷き20とがずれなくなる。
【００２６】
底部12の上面及び／または中敷き20の裏面の全体が、面ファスナー機能を有する表面性状を有するものであってもよい。面ファスナーは、通常、フックと呼ばれる表面性状を有する面と、ループと呼ばれる表面性状を有する面とがかかり合って係止される。例えば底部12の上面の踵側とつま先側にフックと呼ばれる表面性状を有する面ファスナー16が備えられ、中敷き20の裏面全体がループと呼ばれる表面性状を有していても良い。
【００２７】
図７〜図９は実施例３に係る履物1を示している。以下、実施例１または２（図１〜図６）と同じ個所は説明を一部省略する。
【００２８】
図８に示すように、本体10の底部12には周壁13が設けられ、周壁13には２箇所の内方に突出した本体凸部14と１か所の切り欠かれた本体切欠き部15が形成されている。一方、図９に示す中敷き20には、２箇所の中敷き凹部21と１箇所の突出した中敷き凸部22が形成されている。図７に示すように、本体凸部14と中敷き凹部21とが嵌め合わされて係合部が形成され、中敷き凸部22と本体切欠き部15とが嵌め合わされて係合部が形成されている。これらの係合部があることによって、中敷き20を本体10に挿入して組み立てる際に位置決めが容易となり、中敷き20が本体10に対してよりずれなくなる。
【００２９】
本体10の底部12の上面には、表示17が取り付けられている。この表示により、履物1を使用するにあたって、使用者に種々の情報を伝えることができ、中敷き20を本体10に嵌め合わせると、外観上は見えないため審美性を損なうことはない。表示17に記載される情報例としては、「中敷きを貼ってご使用ください。（Please use provided insoles.）」等である。 
【００３０】
図１０は、実施例３の図８に示す切断線Ａ−Ａで切断した横断面図である。図１１は、実施例３の図８に示す切断線Ｂ−Ｂで切断した横断面図である。
【００３１】
図１０のＡ−Ａ断面では、底部12の周縁に周壁13が形成され、底部12の上面には接着剤層18を介して底部上面層19が張り付けられている。底部上面層19の材質は塩化ビニルであり、その上面は、中敷き20との摩擦抵抗をあげるためにざらざらとした表面状態としている。底部上面層19の材質は塩化ビニルに限定されるものではなく、他の合成樹脂または天然樹脂等を用いても良い。
【００３２】
図１１のＢ−Ｂ断面では、底部12の周縁に周壁13から内方に向けて本体凸部14が形成されている。図１０のＡ−Ａ断面における底部上面層19の上面から周壁13の上面までの高さは、中敷き20の厚み程度とされ、中敷き20を本体10に挿入して組み合わせたときに、中敷き20の上面と本体凸部14の上面とがほぼ面一になるようになされているので、使用感が向上する。
【符号の説明】
【００３３】
１：履物
１０：本体
１１：甲被部
１２：底部
１３：周壁
１４：本体凸部
１５：本体切欠き部
１６：本体側の面ファスナー材
１７：表示
１８：接着層
１９：底部上面層
２０：中敷き
２１：中敷き凹部
２２：中敷き凸部
【図１】
0003217845.tif 000003
【図２】
0003217845.tif 000004
【図３】
0003217845.tif 000005
【図４】
0003217845.tif 000006
【図５】
0003217845.tif 000007
【図６】
0003217845.tif 000008
【図７】
0003217845.tif 000009
【図８】
0003217845.tif 000010
【図９】
0003217845.tif 000011
【図１０】
0003217845.tif 000012
【図１１】
0003217845.tif 000013